(57)【要約】【課題】  集中荷重に対する強度を向上させたエレベータのかご床を提供する。【解決手段】  エレベータかごの床板１と、床板を支える補強材であり、床板の下面に互いに平行になるように配置された複数本の床梁４とを備え、各床梁は、横断面Ｗ字状であり、Ｗ字状の両端部をそれぞれ外側方向に延長して両端水平鍔部４１、４２を形成し、Ｗ字状の中央連結部に中央水平鍔部４３を形成し、両端水平鍔部及び中央水平鍔部の少なくとも３箇所で床板の下面に結合される。【選択図】    図１
2007091426.tif 000002
【特許請求の範囲】
【請求項１】
エレベータかごの床板と、
前記床板を支える補強材であり、前記床板の下面に互いに平行になるように配置された複数本の床梁とを備え、
前記各床梁は、横断面Ｗ字状であり、Ｗ字状の両端部をそれぞれ外側方向に延長して両端水平鍔部を形成し、Ｗ字状の中央連結部に中央水平鍔部を形成し、前記両端水平鍔部及び前記中央水平鍔部の少なくとも３箇所で前記床板の下面に結合されていることを特徴とするエレベータのかご床。
【請求項２】
エレベータかごの床板と、
前記床板を支える補強材であり、前記床板の下面に互いに平行になるように配置された複数本の床梁と、
前記各床梁の両端部にそれぞれ結合された側梁とを備え、
前記各床梁は、横断面Ｗ字状であり、Ｗ字状の両端部をそれぞれ外側方向に延長して両端水平鍔部を形成し、Ｗ字状の中央連結部に中央水平鍔部を形成し、前記両端水平鍔部及び前記中央水平鍔部の少なくとも３箇所で前記床板の下面に結合されていることを特徴とするエレベータのかご床。
【請求項３】
横断面Ｗ字状の床梁は、中央水平鍔部の幅寸法を両端水平鍔部の幅寸法の２倍以上としたことを特徴とする請求項１又は請求項２記載のエレベータのかご床。
【請求項４】
各床梁の両端水平鍔部及び前記中央水平鍔部の少なくとも３箇所は、溶接により前記床板の下面に結合されていることを特徴とする請求項１〜請求項３のいずれかに記載のエレベータのかご床。
【発明の詳細な説明】
【技術分野】
【０００１】
この発明は、エレベータのかご床の構造に関するものである。
【背景技術】
【０００２】
従来のエレベータのかご床の構造においては、床板の下面に横断面Ｕ字状の細長い床梁を互いに平行に複数本配置し、この各床梁のＵ字状の両端部をそれぞれ外側方向に延長して水平鍔部を形成し、この両端の水平鍔部を床板の下面に溶接により結合している。（例えば、特許文献１参照）。
従来のエレベータのかご床の構造は、例えば、図２、図３に示すものである。図２は従来のエレベータのかご床の構造を示す斜視図、図３は従来のエレベータのかご床の構造を示す側面図、図４は強度を確保するために床梁間のピッチを縮小した場合の側面図である。
図において、１はエレベータかごの床板、２は床板１の下面に互いに平行になるように複数本配置された横断面Ｕ字状の細長い床梁、２１、２２は各床梁２のＵ字状の両端部をそれぞれ外側方向に延長して形成した両端水平鍔部である。上記床梁２は、両端水平鍔部２１、２２の２箇所を上記床板１の下面に溶接することにより結合されている。なお、３は各床梁２の両端部に溶接により結合された側梁である。
【０００３】
【特許文献１】実開昭５６−７２８８５号公報
【発明の開示】
【発明が解決しようとする課題】
【０００４】
従来のエレベータのかご床の構造では、台車等の重量物の集中荷重に対して、互いに隣接する床梁２と床梁２の間にある床板１のみで受け持つ部分（図３の床梁間のピッチ間隔ｄ寸法部分）が広くなり、集中荷重に対する強度が得られないという問題点がある。また、集中荷重に対しての強度を上げようとすると、図４に示すように、互いに隣接する床梁２と床梁２の間のピッチ間隔を縮小するか、床板１自体の板厚を厚くしなければならない。しかしながら、図４のように床梁２間のピッチ間隔をｄからｃに縮小すると、床梁の部品点数や重量が増えたり、溶接箇所の数が増加するという新たな問題点がある。
【０００５】
また、一般的な建築物の床構造として広く用いられているデッキプレート（キーストンプレートともいう）は、例えば、図５、図６に示すように、断面が連続した波形（コルゲート状）の鋼材５であり、このような鋼材５からなるデッキプレートを、建築床梁６へ溶接等で固定し、その上面にコンクリート７を流して建築床を形成している。このような構造のデッキプレート５をエレベータのかご床へ直接使用するには、長さや幅サイズが大き過ぎて、切断加工の困難性等により、採用されるまでに至っていない。したがって、エレベータのかご床用としては、上記のように、平鋼板を汎用プレス機にて折り曲げて製作しているのが実情である。
【０００６】
この発明は上記のような課題を解決するためになされたもので、床板を支える補強材である床梁を横断面Ｗ字状とし、両端水平鍔部と中央水平鍔部とを形成し、両端水平鍔部と中央水平鍔部の３箇所で床板の下面に溶接により結合することにより、集中荷重に対する強度を向上させたエレベータのかご床を提供することを目的とする。
【課題を解決するための手段】
【０００７】
この発明に係るエレベータのかご床においては、エレベータかごの床板と、床板を支える補強材であり、床板の下面に互いに平行になるように配置された複数本の床梁とを備え、各床梁は、横断面Ｗ字状であり、Ｗ字状の両端部をそれぞれ外側方向に延長して両端水平鍔部を形成し、Ｗ字状の中央連結部に中央水平鍔部を形成し、両端水平鍔部及び中央水平鍔部の少なくとも３箇所で床板の下面に結合されているものである。
【０００８】
また、横断面Ｗ字状の床梁は、中央水平鍔部の幅寸法を両端水平鍔部の幅寸法の２倍以上としたものである。
【発明の効果】
【０００９】
この発明によれば、床板を支える補強材である床梁を横断面Ｗ字状とし、両端水平鍔部と中央水平鍔部とを形成し、両端水平鍔部と中央水平鍔部の３箇所で床板の下面に溶接等により結合したので、簡単な構成により集中荷重に対する強度を向上させることができる。
【発明を実施するための最良の形態】
【００１０】
実施の形態１.
図１はこの発明の実施の形態１におけるエレベータのかご床の構造を示す側面図である。
【００１１】
図において、１はエレベータかごの床板、４は床板１の下面に互いに平行になるように複数本配置された横断面Ｗ字状の細長い床梁、４１、４２は各床梁４のＷ字状の両端部をそれぞれ外側方向に延長して形成した幅寸法ａを持つ両端水平鍔部、４３は各床梁４のＷ字状の中央連結部に形成した幅寸法ｂを持つ中央水平鍔部であり、中央水平鍔部４３の幅寸法ｂを両端水平鍔部４１、４２の幅寸法ａの２倍以上としている。上記Ｗ字状の床梁４は、両端水平鍔部４１、４２及び中央水平鍔部４３の３箇所を上記床板１の下面に溶接することにより結合されている。したがって、互いに隣接する床梁４と床梁４の間にある床板１のみで受け持つ部分の幅寸法ｃが狭くなり、台車等の集中荷重が局所的に作用しても、床板１のみで荷重を受ける部分が少ないので、強度を増大させることができる。なお、３は各床梁４の両端部に溶接により結合された側梁である。
【００１２】
このように構成されたエレベータのかご床の構造においては、床板１を支える補強材である床梁４を横断面Ｗ字状とし、両端水平鍔部４１、４２と中央水平鍔部４３とを形成し、両端水平鍔部４１、４２と中央水平鍔部４３の３箇所で床板１の下面に溶接により結合している。したがって、互いに隣接する床梁４と床梁４の間にある床板１のみで受け持つ部分の幅寸法ｃが狭くなり、台車等の集中荷重が局所的に作用しても、床板１のみで荷重を受ける部分が少ないので、強度を増大させることができる。
【００１３】
図４に示す従来の強度を確保するために床梁２間のピッチ間隔を縮小した場合と比較すると、従来のＵ字状床梁２の２本分がこの発明のＷ字状床梁４の１本分と同等の効果を示すため、部品点数を削減することができ、また溶接箇所数も従来のＵ字状床梁の２本分の場合が４箇所であるのに対し、この発明のＷ字状床梁４の１本分の場合では３箇所で済むことになるので、溶接箇所数の削減にも繋がる効果がある。
【００１４】
また、Ｗ字状の床梁４の中央連結部に形成される中央水平鍔部４３の幅寸法ｂを調節することにより、かご床の寸法が変化しても、隣接する床梁４間の間隔ｃ寸法を変えることなく容易に対応可能である。これにより、かごの寸法が変化しても、集中荷重に対する強度を保持することができる。なお、当然ながら、床梁４のピッチ間隔を変更すれば、かごの寸法が変化しても容易に対応することができる。
【００１５】
また、一般的な建築物の床構造として広く用いられているデッキプレートを補強材としてかごの床梁に使用した場合、かご床の寸法が変化した時の端部の形状が崩れてしまうが、この発明によれば、かご床の寸法が変化した時の端部の形状が崩れてしまうことがなくなる。また、製作には既存のＵ字状床梁製作用のプレス機をそのまま用いることができるので、特殊な切断加工機が必要となるデッキプレートよりも容易に製作することが可能となる。
【図面の簡単な説明】
【００１６】
【図１】この発明の実施の形態１におけるエレベータのかご床の構造を示す側面図である。
【図２】従来のエレベータのかご床の構造を示す斜視図である。
【図３】従来のエレベータのかご床の構造を示す側面図である。
【図４】従来のエレベータのかご床の構造において、強度を確保するために床梁間のピッチを縮小した場合の側面図である。
【図５】一般的な建築物の床構造として広く用いられているデッキプレートを示す建築床の断面図である。
【図６】図５におけるＡ−Ａ線に沿った断面図である。
【符号の説明】
【００１７】
１  エレベータかごの床板
２  横断面Ｕ字状の床梁
２１、２２  両端水平鍔部
３  側梁
４  横断面Ｗ字状の床梁
４１、４２  両端水平鍔部
４３  中央水平鍔部
５  デッキプレート（鋼材）
６  建築床梁
７  コンクリート
【図１】
2007091426.tif 000003
【図２】
2007091426.tif 000004
【図３】
2007091426.tif 000005
【図４】
2007091426.tif 000006
【図５】
2007091426.tif 000007
【図６】
2007091426.tif 000008